(57)【要約】      （修正有）【課題】太陽電池セルを直列に接続して太陽電池モジュールを形成するのに直線以外の形状を形成可能とできる色素増感型太陽電池の電極基板、及びそれを用いた色素増感型太陽電池を提供する。【解決手段】接続部２が各辺の半分以下の幅となされ、且つ前記辺部１１を挟む左右いずれか一方の角部１２側に偏して設けられていることで、二体の電極基板１０を導電性被膜が相対向するように配置して太陽電池セル１００を形成した際に、透明電極１０Ａと対向電極１０Ｂとの接続部２が重なり合うことがなく、太陽電池セル１００を直列に接続する場合に太陽電池セル１００同士の接続部２を用いて各々の辺部１１において自在に接続できることで、太陽電池モジュールを直線以外の形状に形成することが可能となる。【選択図】図３
2007115649.tif 000002
【特許請求の範囲】
【請求項１】
三個以上の角部を有する正多角形の基材の一方の面に導電性被膜が形成された電極基板であって、前記基材は前記正多角形を形成する各々の辺部の外縁から接続部が各々突設され、前記接続部が、前記辺部の半分以下の幅となされ、且つ前記辺部を挟む左右いずれか一方の角部側に偏して設けられていることを特徴とする色素増感型太陽電池用電極基板。
【請求項２】
前記基材は、熱可塑性合成樹脂からなると共に、前記接続部が一体に形成されたものであることを特徴とする請求項１に記載の色素増感型太陽電池用電極基板。
【請求項３】
前記基材は、前記導電性被膜が設けられた面側の、少なくとも二箇所の角部近傍に、凸状部と前記凸状部が嵌着可能な凹状部が設けられ、前記凸状部及び前記凹状部は、前記角部の内角を二分する中心線を対称として配置されていることを特徴とする請求項１又は２に記載の色素増感型太陽電池用電極基板。
【請求項４】
請求項１〜３のいずれかに記載の色素増感型太陽電池用電極基板を二体用いて透明電極及び対向電極とし、透明電極の導電性被膜上に増感色素を担持させた半導体層を形成し、前記半導体層と前記対向電極の導電性被膜とが電解質層を挟んで相対向させて配置されていることを特徴とする色素増感型太陽電池。
【請求項５】
標識板上に請求項４に記載の色素増感型太陽電池と発光部とを配置し、該色素増感型太陽電池により標示部を形成すると共に、前記発光部が前記色素増感型太陽電池により生起された電力を用いて発光されるようになされていることを特徴とする道路標識。
【発明の詳細な説明】
【技術分野】
【０００１】
本発明は、色素増感型太陽電池の形成に用いられる色素増感型太陽電池用基板、それを用いた色素増感型太陽電池及び道路標識に関するものである。
【背景技術】
【０００２】
色素増感型太陽電池の電極基板は、透明電極用と対向電極用のものがあるが、いずれも基材上に導電性被膜を形成したものである。導電性被膜は、半導体層により生起された電子の流れを電解質層と共に確保すると共に、生起された電力を外部に取り出す役割を有している。
【０００３】
生起された電力を外部に取り出すには、例えば特許文献１の図１に記載の如く、導電性被膜に接続した電極接続部を基材の外部に突出させて電極接続部間を接続させたり、基材の端部を各々相対向する基材の端部より外側に設け、突設した導電性被膜に電極リードを取り付けて太陽電池セルの端部付近を重ね合わせたりすることで、太陽電池モジュールが直列に接続されるようにした色素増感型太陽電池セルが開示されている。
【０００４】
他に、図１０に示す如く、透明電極が設けられた矩形の透明電極基板１０ａと、対向電極が設けられた矩形の対向電極基板１０ｂとを斜め方向にずらして相対向して設け、各々の導電性被膜を前面側及び背面側から露出させることで、露出した導電性被膜間を重ね合わせて電気的に接続することで容易に太陽電池セルを直列に接続できる色素増感型太陽電池が用いられてきている。
【０００５】
【特許文献１】特開２００２−９３４７６号公報
【発明の開示】
【発明が解決しようとする課題】
【０００６】
しかしながら、特許文献１に記載等の従来の色素増感型太陽電池に用いられている電極基板では、単一外形の電極基板を用いて透明電極及び対向電極を形成できることで形成は簡便となるものの、一方向にしか太陽電池セルを接続できないことから、太陽電池セルを直列に繋いで必要な電圧を得ようとする場合には、太陽電池モジュールは直線状にしか形成することができず、太陽電池モジュールの形状が限定されて設置スペースが有効に利用できなくなったり太陽電池モジュール間に新たに接続線を設ける必要が生じて形成に係わる作業が繁雑になったりする恐れがあった。
【０００７】
本発明は上記の如き課題に鑑みてなされたものであり、太陽電池セルを直列に接続して太陽電池モジュールを形成するのに直線以外の形状を形成可能とできる色素増感型太陽電池の電極基板、及びそれを用いた色素増感型太陽電池を提供せんとするものである。
【課題を解決するための手段】
【０００８】
上記目的を達成するため、本発明は以下のような構成としている。すなわち、本発明に係わる色素増感型太陽電池用電極基板は、三個以上の角部を有する正多角形の基材の一方の面に導電性被膜が形成された電極基板であって、前記基材は前記正多角形を形成する各々の辺部の外縁から接続部が各々突設され、前記接続部が、前記辺部の半分以下の幅となされ、且つ前記辺部を挟む左右いずれか一方の角部側に偏して設けられていることを特徴とするものである。
【０００９】
本発明に係わる色素増感型太陽電池用電極基板によれば、接続部が各辺の半分以下の幅となされ、且つ前記辺部を挟む左右いずれか一方の角部側に偏して設けられていることで、二体の電極基板を導電性被膜が相対向するように配置して太陽電池セルを形成した際に、透明電極と対向電極との接続部が重なり合うことがなく、太陽電池セルを直列に接続する場合に太陽電池セル同士の接続部を用いて各々の辺部において自在に接続できることで、太陽電池モジュールを直線以外の形状に形成することが可能となる。
【００１０】
また前記基材は、熱可塑性合成樹脂からなると共に、前記接続部が一体に形成されたものであれば、軽量でありながら基材に対して接続部が強固に固定された基板とでき、また射出成形等の金型を用いた成形法により容易に形成できるようになり好ましい。
【００１１】
また前記基材は、前記導電性被膜が設けられた面側の、少なくとも二箇所の角部近傍に、凸状部と前記凸状部が嵌着可能な凹状部が設けられ、前記凸状部及び前記凹状部は、前記角部の内角を二分する中心線を対称として配置されていれば、電極基板を用いて太陽電池セルを形成した際に、凸状部と凹状部とを嵌着することで電極基板の互いの位置合わせが容易で、且つ位置ずれの発生を防止して形成に係わる作業を簡便なものとすることができ好ましい。
【００１２】
また本発明に係わる色素増感型太陽電池は、請求項１〜３のいずれかに記載の色素増感型太陽電池用電極基板を二体用いて透明電極及び対向電極とし、透明電極の導電性被膜上に増感色素を担持させた半導体層を形成し、前記半導体層と前記対向電極の導電性被膜とが電解質層を挟んで相対向させて配置されていることを特徴とするものである。
【００１３】
本発明に係わる色素増感型太陽電池によれば、請求項１〜３のいずれかに記載の電極基板を用いることで、二体の電極基板を導電性被膜が相対向するように配置して太陽電池セルを形成し、太陽電池セルを直列に接続する場合に各々の辺部において自在に接続できることで、太陽電池モジュールを直線以外の形状に形成することが可能となり、設置スペースを有効に活用し、且つ簡便に形成することができる。
【００１４】
また本発明に係わる道路標識は、標識板上に請求項４に記載の色素増感型太陽電池と発光部とを配置し、該色素増感型太陽電池により標示部を形成すると共に、前記発光部が前記色素増感型太陽電池により生起された電力を用いて発光されるようになされていることを特徴とするものである。
【００１５】
本発明に係わる道路標識によれば、請求項４に記載の色素増感型太陽電池を用いることで直線以外に連続して接続して様々な形状の標示部を形成することが可能となり、また色素増感型太陽電池が発電手段と標示部とを兼ねることで、別途太陽電池装置を設けることなく標識板に設けられた発光部を発光させることができ、形成に係わる作業や材料を節減し、美観も高めることができる。
【発明の効果】
【００１６】
本発明に係わる色素増感型太陽電池用電極基板によれば、接続部が各辺の半分以下の幅となされ、且つ前記辺部を挟む左右いずれか一方の角部側に偏して設けられていることで、二体の電極基板を導電性被膜が相対向するように配置して太陽電池セルを形成した際に、透明電極と対向電極との接続部が重なり合うことがなく、太陽電池セルを直列に接続する場合に太陽電池セル同士の接続部を用いて各々の辺部において自在に接続できることで、太陽電池モジュールを直線以外の形状に形成することが可能となる。
【００１７】
また本発明に係わる色素増感型太陽電池によれば、請求項１〜３のいずれかに記載の電極基板を用いることで、二体の電極基板を導電性被膜が相対向するように配置して太陽電池セルを形成し、太陽電池セルを直列に接続する場合に各々の辺部において自在に接続できることで、太陽電池モジュールを直線以外の形状に形成することが可能となり、設置スペースを有効に活用し、且つ簡便に形成することができる。
【００１８】
更にまた本発明に係わる道路標識によれば、請求項４に記載の色素増感型太陽電池が発電手段と標示部とを兼ねることで、別途太陽電池装置を設けることなく標識板に設けられた発光部を発光させることができ、形成に係わる作業や材料を節減し、美観も高めることができる。
【発明を実施するための最良の形態】
【００１９】
本発明に係わる最良の実施の形態について、図面に基づき以下に具体的に説明する。
【００２０】
図１は、本発明に係わる色素増感型太陽電池用電極基板の、実施の一形態を示す斜視図である。色素増感型太陽電池用電極基板１０は、正三角形の基材１の、正三角形を形成する辺部１１の外縁から板状の接続部２が各々突設されている。接続部２は、辺部１１と正対した状態で向かって右側の角部１２に偏して配置され、接続部２の幅Ｗ２は、辺部１１の幅Ｗ１の半分以下となされている。また色素増感型太陽電池用電極基板１０は、図中上面側に導電性被膜（図示せず）が形成されており、角部１２に接して、基材１の導電性被膜が形成された上面側に直角三角柱状の凸状部３１及び凸状部３１が嵌着可能な凹状部３２が設けられている。
【００２１】
図２は、凸状部３１及び凹状部３２の詳細を示す斜視図であり、凹状部３２は凸状部３１が嵌着可能な補完形状となされ、凸状部３１と凹状部３２とは角部１２先端の内角を二分するように設けられていることで、角部１２の内角を二分する中心線Ｃを対称として配置されると共に、角部１２の先端のみを用いることで基材１上のスペースの損失を最小限に留めるようにしている。
【００２２】
図３は、色素増感型太陽電池用電極基板１０を用いて太陽電池セルを形成する際の、電極基板同士の位置関係を示す説明図である。まず（ａ）において、上方の透明電極基板１０ａは透明な基材１１の図中下面側に透明な導電性被膜（図示せず）が形成されており、下方の対向電極基板１０ｂは図中上面側に導電性被膜（図示せず）が形成され、透明電極基板１０ａの導電性被膜上には増感色素を担持させた透明な半導体層（図示せず）が形成されている。透明電極基板１０ａと対向電極基板１０ｂは、共に図１に示した色素増感型太陽電池用電極基板１０を用いているが、透明電極基板１０ａと対向電極基板１０ｂとが外形が同一であるにも係わらず表裏が逆になることで、重ね合わされる際には凸状部３１及び凹状部３２の位置関係が逆になり、上方の透明電極基板１０ａの凸状部３１が下方の対向電極基板１０ｂの凹状部３２に嵌着され、下方の対向電極基板１０ｂの凸状部３１が上方の透明電極基板１０ａの凹状部３２に嵌着されることで、透明電極基板１０ａ及び対向電極基板１０ｂ同士の位置合わせを行うことなく基材１１を形成する正多角形は同じ位置に合わせられる。
【００２３】
太陽電池セル１００は、凸状部３１と凹状部３２との嵌着と併せて、透明電極基板１０ａ及び対向電極基板１０ｂの間に封止材により空間が設けられ、その空間内に電解質液等を用いて電解質層が設けられることで形成される。（ｂ）は、太陽電池セルの形成後における電極基板１０同士の位置関係を示しているが、接続部２の幅Ｗ２が、辺部１１の幅Ｗ１の半分以下となされて一方の角部１２に偏して配置されていることで、電極基板１０ａ及び１０ｂが重ね合わされた状態で、上方と下方の透明電極基板１０ａ及び対向電極基板１０ｂの接続部２が重なることがなく、導電性被膜同士が接触しないようになされていることで電極の短絡が起こる恐れをなくしている。
【００２４】
図４は、形成された太陽電池セル１００同士を、接続部２を用いて電気的に接続する状態を示す説明図である。太陽電池セル１００は正三角形の電極基板１０が重ね合わされることで略正三角形の形状となされ、その略正三角形の形状を形成する直線状の辺縁部１０１には、上下互い違いの位置に接続部２が突出して設けられている。辺縁部１０１において、下方に位置する接続部２ａは上面側に導電性被膜が露出され、上方に位置する接続部２ｂには下面側に導電性被膜が露出されていることで、太陽電池セル１００に太陽光が照射されて生起された電力を出力するための電極となされている。太陽電池セル１００ａ及び１００ｂは同一の外形となされているが、接続部２同士の接続時には位置関係が逆になされることで接続部２の上下関係も逆となり、太陽電池セル１００ａ及び１００ｂを置き並べるのみで接続部２ａと接続部２ｂとに設けられた導電性被膜同士を相対向させて電気的に接続させることができる。
【００２５】
図５は、太陽電池セル１００ａ及び１００ｂの接続部２を用いて接続した状態における模式横断面図である。透明な基材１１の下面に透明な導電性被膜１３が設けられた透明電極基板１０ａの導電性被膜１３上に半導体層４１が設けられ、透明電極基板１０ａの半導体層４１と、対向電極基板１０ｂの導電性被膜１３が相対向して配置された間に電解質溶液からなる電解質層４２が設けられ、透明電極基板１０ａと対向電極基板１０ｂとの間に電解質層４２の漏洩を防止する封止材４３が設けられることで、色素増感型太陽電池である太陽電池セル１００ａ及び１００ｂが形成されている。図中上方から太陽光が照射されると、透明な基材１１及び透明な導電性被膜１３を透過した太陽光により半導体層４１が励起されて電子移動が起こることで電力が生起される。
【００２６】
太陽電池セル１００ａ及び１００ｂを電気的に接続するには、透明電極基板１０ａ側の導電性被膜１３と対向電極基板１０ｂ側の導電性被膜とを接続する必要があるが、太陽電池セル１００ａ及び１００ｂを置き並べて接続部２ａと接続部２ｂとに露出して設けられた導電性被膜１３同士を相対向させ、導電性被膜１３間に導電体５を配置することで、導電体５を介して導電性被膜１３間を電気的に接続することができる。
【００２７】
導電体５は、導電性材料であれば特に限定されるものではなく、電気抵抗値が低い金属材料を好適に用いることができる。また導電性接着剤を用いることで、導電性被膜１３間を接続すると共に、太陽電池セル１００ａ及び１００ｂ間の接着を同時に行うことができ、太陽電池セル１００間の接続に係わる作業を簡便なものとでき好ましい。
【００２８】
導電性接着剤は、一液又は二液のエポキシ樹脂、フェノール樹脂、ポリイミド樹脂、ウレタン樹脂、シリコーン樹脂、塩化ビニル樹脂、アクリル樹脂等をベースとする接着剤に銀、銅、カーボングラファイト等の導電性微粒子を配合したもので、基材１１及び導電性被膜１３への接着性に応じて任意のものを用いてよいが、基材１１が合成樹脂材料の場合には、含有する溶剤が少なく合成樹脂の腐食の恐れが小さい二液のエポキシ樹脂をベースとする導電性接着剤を好適に用いることができる。
【００２９】
透明電極基板１０ａの形成に用いられる透明な基材１１については、透明性の高いガラス、強化ガラスや、ポリカーボネート樹脂、アクリル樹脂、ポリアリレート樹脂、ポリメタクリレート、ポリ塩化ビニル等の透明性の高い合成樹脂等を用いることができる。対向電極基板１０ｂの形成に用いられる基材１１については透明性が必要とされない場合には適宜の材料を用いて形成することができるが、透明性が必要とされる場合には透明電極基板１０ａ側の基材１１に挙げた材料を好適に用いることができる。また電解質層１４に対する耐久性の高いポリエチレンテレフタレート樹脂に加え、ポリブチレンテレフタレート樹脂、ポリエチレンナフタレート樹脂といったポリエステル合成樹脂、ポリエチレン、ポリプロピレン、環状ポリオレフィン樹脂といったポリオレフィン系合成樹脂等も好適に用いることができる。
【００３０】
また導電性被膜１３については、透明電極基板１０ａ側に設けられるものとしては透明性に優れると共に高い導電性を備えるスズドープ酸化インジウム（ＩＴＯ）、フッ素ドープ酸化スズ（ＦＴＯ）、金、白金等やそれらを複数組み合わせたものを真空蒸着法、スパッタ蒸着法、イオンプレーティング法、ＣＶＤ法、泳動電着法等の適宜の方法により基材１１上に形成したり、またはそれらの薄膜が形成されたフィルムを基材１１に貼着したりする等して形成することができる。
【００３１】
また対向電極基板１０ｂ側に設けられる導電性被膜１３としては、白金、カーボン、導電性ポリマーや、スズドープ酸化インジウム（ＩＴＯ）、フッ素ドープ酸化スズ（ＦＴＯ）等の金属酸化物と前記物質との複合材料等を用いて、真空蒸着法、スパッタ蒸着法、イオンプレーティング法、ＣＶＤ法、泳動電着法等の適宜の方法により基材１１上に形成したり、またそれらの薄膜が形成されたフィルムを基材１１に貼着したりする等して形成することができる。
【００３２】
半導体層４１は、Ｆｅ２Ｏ３、Ｃｕ２Ｏ、Ｉｎ２Ｏ３、ＷＯ３、Ｆｅ２ＴｉＯ３、ＰｂＯ、Ｖ２Ｏ５、ＦｅＴｉＯ３、Ｂｉ２Ｏ３、Ｎｂ２Ｏ３、ＳｒＴｉＯ３、ＺｎＯ、ＢａＴｉＯ３、ＣａＴｉＯ３、ＫＴａＯ３、ＳｎＯ２、ＺｒＯ２などの半導体材料を用いて形成された薄膜に増感色素を担持させることで形成でき、半導体材料としてはこれらの内、コストや作業性等から酸化チタン（ＴｉＯ２）、又は透明性の薄層の形成性に優れ且つ電析が可能である酸化亜鉛（ＺｎＯ）が好適であるが、それに限定されるものではなく適宜のものを用いることができる。
【００３３】
また半導体層４１に担持される増感色素としては、クチナシ色素、スイカズラ色素等のカロテノイド系のものやクマリン３４３等のクマリン系色素等のものを用いることで黄色を発現させることができる。その他の色調を発現させるにおいては、赤色であればエオシン系等、青色であればスクレアリリウム系等の色素を用いて発現させることができ、またこれら三原色を適宜の割合で配合することで様々な色調を設定することが可能となり得る。
【００３４】
また用いられる用途によっては、増感色素として一般に知られるルテニウム金属錯体色素として、Ｎ３、ブラックダイ、ビピリジン−カルボン酸基、ビピリジン系、フェナントロリン、キノリン、β−ジケトナート錯体等、他にＯｓ金属錯体、Ｆｅ金属錯体、Ｃｕ金属錯体、Ｐｔ金属錯体、Ｒｅ金属錯体等の金属錯体色素や、シアニン色素やメロシアニン色素等のメチン色素、マーキュロクロム色素、キサンテン系色素、ポルフィリン色素、フタロシアニン色素、アゾ系色素、クマリン系色素等の有機系色素などを用いることもできる。
【００３５】
また電解質層４２としては、アセトニトリルとエチレンカーボネートの混合溶液や、メトキシプロピオニトリル等の溶媒に、ヨウ化リチウム、金属ヨウ素等の電解質を加えたもの等の液体電解質や、高分子ゲル電解液等の擬固体化電解質といった液体電解質系、ｐ型半導体、ホール輸送剤等の固体電解質系などを用いることができる。
【００３６】
また封止材４３は、電解質層４２の漏洩を防止できるものであれば特に限定されるものではないが、シリコーン樹脂等のシーリング材を好適に用いることができる。またゴム、エラストマー等の弾性を有する合成樹脂をリング状にしたものを挟着して用いてもよい。
【００３７】
図６は、上述の太陽電池セル１００を接続することで形成した太陽電池モジュールの例を示す平面図である。太陽電池セル１００は、いずれの辺縁部１０１においても他の太陽電池セル１００と接続可能となされ、且つ接続されていない辺縁部１０１においてどこからでも電力の取り出しが可能となされていることで、形成される太陽電池モジュールは直線状のものに限定されることがなく、また太陽電池セル１００の接続数を任意のものとして取り出す電力の電圧を任意のものとすることができる。例えば（ａ）において、太陽電池セル１００ａ〜１００ｅの五体、１００ｆ〜１００ｈの三体は導電体により電気的に直列に接続され、太陽電池セル１００ｂと１００ｆ、１００ｄと１００ｈ、１００ｇと１００ｉとは絶縁性の接着剤を用いて電気的には絶縁されて接着されている。
【００３８】
図中で一方向の電子の流れを一点波線で示しているが、太陽電池セル１００一体による電圧が約０．３Ｖとした場合、最下段の太陽電池セル１００ｉから取り出される電圧は約０．３Ｖ、中段の太陽電池セル１００ｆ〜１００ｈは三体の太陽電池セル１００が接続されていることで約０．９Ｖの電圧が発生し、最上段の太陽電池セル１００ａ〜１００ｅの五体が接続されていることで約１．５Ｖの電圧を発生させることができる。更に最上段、中段、最下段の太陽電池セル１００を導電線により接続することで全て直列に接続することで、合計九体の太陽電池セル１００が直列に接続されて約２．７Ｖの電圧を出力させることができる。
【００３９】
更にまた、太陽電池セル１００が正多角形となされていることで、太陽電池セル１００を隙間無く配置することによって接続させる数により相似形の種々な大きさの太陽電池モジュールを形成することができ、例えば太陽光により発電する道路標識の「止まれ」表示板を形成するにおいて、太陽電池セル１００を接続して所望の大きさの太陽電池モジュールを形成し、その太陽電池モジュールをそのまま「止まれ」表示板として用いることも可能である。
【００４０】
次に（ｂ）は接続の他の例を示すものであるが、太陽電池セル１００の正三角形の頂点を中心に車座状に配置することで正六角形の太陽電池モジュールが形成されている。太陽電池セル１００ａ〜１００ｆは導電体により電気的に直列に接続され、１００ａと１００ｆとの間は絶縁性の接着剤を用いて接着されている。かかる正六角形が形成されていることで、接続線等必要なく約１．８Ｖの電圧を出力することが可能となされている。
【００４１】
図７は、上述の太陽電池セル１００を接続することで形成した太陽電池モジュールの、更に他の例を示す平面図である。太陽電池セル１００を上下の順逆を互いにして配置し電気的に六体を直列に接続して平行四辺形の太陽電池モジュールを形成し、更に該太陽電池モジュールを上下段二列に配置して電気的に接続したものである。かかる配置により、一方向の電子の流れは図中一点波線に示す如くになされ、合計十二体の太陽電池セル１００が直列に接続されて、約３．６Ｖの電圧が出力される。また接続線が必要でなく、形成に係わる作業は極めて簡便なものとなり得ると共に、太陽電池モジュールが矩形に近い形状となって太陽電池モジュールを配置するスペースを有効に利用することができる。
【００４２】
図８は、他の形状による電極基板を用いて形成した太陽電池セル及び太陽電池モジュールの例を示す平面図である。（ａ）は正四角形の電極基板を用いて形成した太陽電池セル１００を用いて形成した太陽電池モジュールであり、階段状の形状に形成したものである。この他に正四角形や長方形、四角形の枠状体など種々の形状を形成するのが可能である。また（ｂ）は正六角形の電極基板を用いて形成した太陽電池セル１００を用いて形成した太陽電池モジュールであり、正六角形の枠状の形状に形成したものである。かかる多様な方向に太陽電池セル１００が接続可能となされていることで、太陽電池セル１００の相似形のみならず、記号や文字等も太陽電池セル１００を用いて形成することが可能となり得る。
【００４３】
図９は、本発明に係わる太陽電池セルを用いた道路標識の一例を示す正面図である。道路標識Ｈは、太陽電池セル１００を形成する色素に上述の赤系統の色調のものを用い、白色の標識板Ｈ１に取り付けることで、太陽電池セル１００と色調の異なる標識板Ｈ１上に矢印状の標示部Ｈ２が形成されて方向指示を行う道路標識Ｈとなされたものである。また標識板Ｈ１には、矢印状の標示部Ｈ２を囲んで間隔をおいて配置された発光ダイオードを光源とする発光部Ｌが設けられている。太陽電池セル１００は、上述の如く直線以外の様々な形状を組み合わせて形成することができ、かかる標示部Ｈ２を容易に形成することが可能となされたものである。
【００４４】
道路標識Ｈにおいて、発光部Ｌに太陽電池セル１００に光が照射されることで生起された電力を供給し、発光部Ｌを発光させることで夜間においても矢印状の標示部Ｈ２が強調されて方向指示の喚起を図ることができるものであるが、矢印状の標示部Ｈ２が太陽電池セル１００によって形成されていることで、別途太陽電池装置を追加して設ける必要がなくなり、取り付けに係わる作業や材料を節減することができ、また標識板Ｈ１とそれらに付加した矢印状の標示部Ｈ２及び発光部Ｌのみで形成させることができ美観も高めることができる。かかる道路標識Ｈは、支柱を用いて地表面より上方に設けるようにしてもよく、またガードレール等の道路付帯設備に取り付けて、他の道路付帯設備に方向指示標示の機能を追加させるようにしてもよい。
【図面の簡単な説明】
【００４５】
【図１】本発明に係わる色素増感型太陽電池用電極基板の、実施の一形態を示す説明図である。
【図２】図１に示した色素増感型太陽電池用電極基板の、凸状部及び凹状部の詳細を示す説明図である。
【図３】太陽電池セルの形成における透明電極及び対向電極の位置関係を示す説明図である。
【図４】本発明に係わる色素増感型太陽電池用電極基板を用いて形成した太陽電池セル同士の接続を示す説明図である。
【図５】太陽電池セル間の接続部分の詳細を示す模式断面図である。
【図６】太陽電池セルの接続の例を示す平面図である。
【図７】太陽電池セルの接続の、他の例を示す平面図である。
【図８】本発明に係わる色素増感型太陽電池用電極基板の、他の形状の電極基板を用いて形成した太陽電池モジュールを示す平面図である。
【図９】本発明に係わる太陽電池セルを用いた道路標識の一例を示す正面図である。
【図１０】従来の色素増感型太陽電池用電極基板を示す説明図である。
【符号の説明】
【００４６】
１    基材
１１  辺部
１２  角部
１３  導電性被膜
２    接続部
３１  凸状部
３２  凹状部
４１  半導体層
４２  電解質層
５    導電体
１０  色素増感型太陽電池用電極基板
１０ａ  透明電極
１０ｂ  対向電極
１００  太陽電池セル
Ｗ１  辺部の幅
Ｗ２  接続部の幅
Ｈ    道路標識
Ｈ１  標識板
Ｈ２  標示部
Ｌ    発光部
【図１】
2007115649.tif 000003
【図２】
2007115649.tif 000004
【図３】
2007115649.tif 000005
【図４】
2007115649.tif 000006
【図５】
2007115649.tif 000007
【図６】
2007115649.tif 000008
【図７】
2007115649.tif 000009
【図８】
2007115649.tif 000010
【図９】
2007115649.tif 000011
【図１０】
2007115649.tif 000012